(57)【特許請求の範囲】
【請求項１】
物品を保管部から行き先別のコンテナに順に取出すに際し、行き先毎の分配数を順に分配指示装置に表示する物品分配方法であって、
保管部の物品在庫数より保管部からの物品取出し数を順次減算した結果が零もしくは負の数になったときに、保管部が実際に空にならない場合、作業者がその旨を制御手段に通知する入力手段を用いて空にならなかったことを制御手段に通知する通知信号を受けることで物品の分配の異常を判定する制御手段を用い、
制御手段により、前回の物品の分配の正常判定後、今回の物品の分配の異常判定時までに当該保管部から取出した物品を収納したコンテナをピッキング誤り候補コンテナとして検品エリアへ取り除くことを指示する物品分配方法。
【請求項２】
物品を保管部から行き先別のコンテナに順に取出すに際し、行き先毎の分配数を順に分配指示装置に表示する物品分配装置であって、
保管部の物品在庫数より保管部からの物品取出し数を順次減算した結果が零もしくは負の数になったときに、入力手段よりの作業者の入力に基づいて、保管部が実際に空になったら物品の分配の正常を判定し、実際に空にならなかったら物品の分配の異常を判定する制御装置を有し、
制御装置は、前回の物品の分配の正常判定後、今回の物品の分配の異常判定時までに当該保管部から取出した物品を収納したコンテナをリストしたピッキング誤り候補コンテナリストを発行する物品分配装置。
【発明の詳細な説明】
【０００１】
【発明の属する技術分野】
本発明は物品分配方法及び装置に関する。
【０００２】
【従来の技術】
物品を段ボールケース（以下、ケース）等の保管部から行き先別のコンテナに順に取出すに際しては、各コンテナに所要数の物品が取出されたことを検品した上で出荷する必要がある。
【０００３】
【発明が解決しようとする課題】
本発明の課題は、物品を保管部から取出す全過程でもれなく検品することにある。
【０００４】
【課題を解決するための手段】
請求項１の発明は、物品を保管部から行き先別のコンテナに順に取出すに際し、行き先毎の分配数を順に分配指示装置に表示する物品分配方法であって、保管部の物品在庫数より保管部からの物品取出し数を順次減算した結果が零もしくは負の数になったときに、保管部が実際に空にならない場合、作業者がその旨を制御手段に通知する入力手段を用いて空にならなかったことを制御手段に通知する通知信号を受けることで物品の分配の異常を判定する制御手段を用い、制御手段により、前回の物品の分配の正常判定後、今回の物品の分配の異常判定時までに当該保管部から取出した物品を収納したコンテナをピッキング誤り候補コンテナとして検品エリアへ取り除くことを指示するようにしたものである。
【０００５】
【発明の実施の形態】
物品分配装置１０は、図１に示すように、複数の相並ぶ流動棚２０の前面に沿ってコンベアライン３０を設け、コンベアライン３０における各流動棚２０の前面を当該コンベアライン３０への物品投入ゾーン３１とし、該ゾーン３１に行き先毎の複数の物品投入コンテナ４０を位置付ける。
【０００６】
流動棚２０は、物品の品種毎に区分された複数の間口２１をもち、各間口２１にそれぞれ複数の物品１を収納したダンボール箱等のケース２（保管部）を縦列配置し、先頭のケース２からオペレータが行き先別のコンテナ４０に必要数の物品を順に取出すことを可能としている。
【０００７】
流動棚２０は、各間口２１に、行き先毎の分配数（取出し数）を順に表示する分配指示装置２２を備える。具体的には、分配指示装置２２は、取出し指示ランプ２３、取出し数量兼残数表示器２４（物品取出し数表示装置）、ピッキング完了ボタン２５、取出し異常ボタン２６を備える。
【０００８】
コンベアライン３０の物品投入ゾーン３１は、各コンテナ４０の前面に誤投入防止遮蔽板３２を開閉可能に備えるとともに、投入指示ランプ３３、投入完了ボタン３４を備える。
【０００９】
そして、物品分配装置１０は、下記(a)〜(f)を行なう制御装置２７を備える。
(a)上位の物流コンピュータからの指令に基づき、流動棚２０の各間口２１毎に、物品投入ゾーン３１に位置付けられる各コンテナ４０に投入すべき物品に対応するピッキング間口とピッキング数量を当該間口２１の分配指示装置２２の取出し指示ランプ２３、取出し数量兼残数表示器２４を用いて表示し、オペレータによる各間口２１から各コンテナ４０へのピッキングを促す。物品の投入を完了されたコンテナ４０は下工程の保管場へと搬出される。
【００１０】
(b)オペレータが上述(a)に基づき、各間口２１の先頭のケース２から各コンテナ４０に物品を投入して分配指示装置２２のピッキング完了ボタン２５をオンした実績に基づき、各間口２１の在庫数量を計算して在庫更新処理する。
【００１１】
(c)上述(b)におけるコンテナ４０への物品投入の結果、各間口２１の先頭のケース２が物品の取出しにより空になることが計算により求まるときに、実際に空になったか否かにより物品の分配の正常と異常を判定する。即ち、各間口２１の先頭のケース２が物品の取出しにより空になることが計算により求まるときに、当該間口２１の分配指示装置２２の取出し数量兼残数表示器２４に残数０を表示し、この表示を見たオペレータが実際に先頭のケース２が空になっていることを確認して完了ボタン２５をオンしたことを条件に分配の正常を判定する。他方、上述の取出し数量兼残数表示器２４の残数０の表示を見たオペレータが実際には先頭のケース２が未だ空になっていないこと（過小ピッキング）を確認して取出し異常ボタン２６をオンしたことを条件に分配の異常を判定し、この異常を取出し数量兼残数表示器２４の点滅によって表示する。
【００１２】
(d)上述(b)におけるコンテナ４０への物品投入の結果、各間口２１の先頭のケース２の在庫数が取出し数量兼残数表示器２４に表示されたとき、この表示を見たオペレータが実際の当該ケース２の残数が表示数分ないこと（過剰ピッキング）を確認して取出し異常ボタン２６をオンした場合にも、分配の異常を判定し、この異常を取出し数量兼残数表示器２４の点滅によって表示する。
【００１３】
(e)上述(c)、(d)の取出し数量兼残数表示器２４の点滅によって、分配の異常を知らされたオペレータが、当該間口２１の先頭のケース２を間口２１から外して通路在庫にし、完了ボタン２５をオンしたとき、当該間口２１の在庫数量を更新し、当該間口２１から投入すべきコンテナ４０へのピッキング数量の残数分を当該間口２１の分配指示装置２２の取出し数量兼残数表示器２４に表示し、当該間口２１の新たに先頭になったケース２からのオペレータによるピッキングを促す。
【００１４】
(f)上述(c)、(d)により分配の異常を判定したとき、前回の物品の分配の正常判定後、今回の異常判定時までに当該ケース２から取出した物品を収納した１個又は複数個のコンテナ４０をピッキング誤り候補コンテナとして検品対象にする。そして、ピッキング誤り候補コンテナリスト（コンテナ番号とピッキング数量）を発行し、且つ当該ピッキング誤り候補コンテナの下工程の保管場から検品エリアへの強制出庫を指示する。検品エリアでは、ピッキング誤り候補コンテナリストに基づく検品が実行され、投入物品数量の修正が行なわれる。
【００１５】
図３は、上述(a)、(b)、(c)の分配正常時の制御装置２７による、Ｎｏ．１コンテナ（ピッキング数6本）、Ｎｏ．２コンテナ（ピッキング数6本）への物品分配手順を示す。即ち、間口２１の先頭のケース２（満杯数10本）からＮｏ．１コンテナに6本の物品を投入し、該ケース２の残数4本の物品をＮｏ．２コンテナに投入し、当該ケース２が空になる時点で分配正常を判定した後、新たに先頭になったケース２（満杯数10本）からＮｏ．２コンテナに更に2本の物品を投入してピッキングを終了する例である。
【００１６】
図４は上述(c)〜(f)の分配異常時の制御装置２７による物品分配手順を示す。即ち、間口２１の先頭のケース２に未だ2本の物品があるのに取出し数量兼残数表示器２４が残数0を表示した過小ピッキングの例と、取出し数量兼残数表示器２４に表示されたケース２の在庫数が5本であるのに実際には4本しかない過剰ピッキングの例である。
【００１７】
従って、本実施形態によれば、以下の作用がある。
（請求項１、３に対応する作用）
▲１▼物品１をケース２等の保管部から行き先別のコンテナ４０に順に取出すに際し、ケース２が物品１の取出しにより丁度空になるはずのタイミングで実際に空になっているか否かを見ることにより、途中の取出しが正しく行なわれていたか否か、換言すれば分配の正常か異常かを判定する。従って、物品１をケース２から取出す全過程でもれなく検品できる。
【００１８】
（請求項２に対応する作用）
▲２▼上述▲１▼により物品１の分配の異常を判定したとき、前回の正常判定後、今回の異常判定時までに当該ケース２から物品を取出したコンテナ４０をピッキング誤り候補コンテナとして検品対象にすることにより、物品１の検品をもれなく、且つ効率良く行なうことができる。
【００１９】
【発明の効果】
以上のように本発明によれば、物品を保管部から取出す全過程でもれなく検品することができる。
【図面の簡単な説明】
【図１】図１は物品分配装置を示す模式図である。
【図２】図２は流動棚を示す模式図である。
【図３】図３は分配正常時の物品分配手順を示す流れ図である。
【図４】図４は分配異常時の物品分配手順を示す流れ図である。
【符号の説明】
１  物品
２  ケース（保管部）
１０  物品分配装置
２２  分配指示装置
２４  取出し数量兼残数表示器（物品取出し数表示装置）
２６  取出し異常ボタン
【図１】
0003765033.tif 000002
【図２】
0003765033.tif 000003
【図３】
0003765033.tif 000004
【図４】
0003765033.tif 000005